(57)【要約】【課題】使用しないときには邪魔にならず、使いやすい吊り下げ用のフックを有するチェーンソーを提供する。【解決手段】ソーチェーンを駆動する駆動軸と、これに回転力を与える電動モータと、電動モータを内蔵する本体ハウジング１と、本体ハウジング１に着脱自在に装着されるバッテリ４０と、バッテリ４０の底面を支持するバッテリガード５と、バッテリガード５の底面側のフック収納部８１に後方に引き出し自在に設けられたフック９０とを有している。フック収納部８１よりも前方のバッテリガード５内には柱状部８３が形成されており、柱状部８３にフック９０の折返し部９３が係合している。【選択図】図１
2014037080.tif 000002
【特許請求の範囲】
【請求項１】
本体ハウジングの前方に延出するガイドバーと、
前記ガイドバーに沿って回転可能なソーチェンと、
前記ソーチェーンを駆動する駆動軸と、
前記駆動軸に回転力を与える電動モータと、
前記本体ハウジングに着脱自在に装着されるバッテリと、
前記バッテリの一部を覆うバッテリガードと、
前記バッテリガードに設けられたフックとを備えることを特徴とするチェーンソー。
【請求項２】
前記バッテリガードにフック収納部が形成され、前記フック収納部に前記フックが後方に引き出し自在に設けられていることを特徴とする請求項１に記載のチェーンソー。
【請求項３】
前記フック収納部の前方側には柱状部が設けられており、前記柱状部に前記フックの折返し部が係合していることを特徴とする請求項２に記載のチェーンソー。
【請求項４】
前記フックは、略円形の環状部と、前記環状部の両端から前方にそれぞれ延びる直線部とを有し、前記直線部の先端部に前記折返し部が形成されていることを特徴とする請求項３に記載のチェーンソー。
【請求項５】
前記バッテリガードは、前記フック収納部の前側に前記フックの直線部を貫通させる引出孔を有し、前記引出孔を前記直線部が移動自在に貫通していることを特徴とする請求項４に記載のチェーンソー。
【請求項６】
前記フックの直線部は、環状部から離れるに従って相互に広がる形状であることを特徴とする請求項４又は５に記載のチェーンソー。
【請求項７】
前記フック収納部は、前記バッテリガードの底面側の後端に開口した凹溝であることを特徴とする請求項２乃至６のいずれか一項に記載のチェーンソー。
【請求項８】
前記バッテリは、前記本体ハウジングの上方からスライドして取り付けられることを特徴とする請求項１乃至７のいずれか一項に記載のチェーンソー。
【発明の詳細な説明】
【技術分野】
【０００１】
本発明は、チェーンソーに係り、とくにバッテリ（電池又は電池群）を電動モータの電源として用いる電動式のチェーンソーに関する。
【背景技術】
【０００２】
近年、バッテリを電動モータの電源として用いる電動式のチェーンソーが提案されるようになってきている。電動式のチェーンソーは２サイクル又は４サイクルの内燃機関のエンジンを動力源とするチェーンソーに比較して、騒音が小さく、ガソリンを扱う手間がないという利点がある。
【０００３】
一方、チェーンソーにおいては、例えば、木の上で作業するような場合に、ロープにて高所までチェーンソーを吊り上げたり、吊り下げたりすることがあり、そのためにフックを設けている装置があった。しかし、フックを装置から突出して形成すると、フックが作業者の体に当たったり、周囲に当たったり、引っ掛かったりすることがあった。
【０００４】
フックを設けたチェーンソーとしては下記特許文献１に提案されているものがある。
【先行技術文献】
【特許文献】
【０００５】
【特許文献１】特開２００９−２７９８８４号公報
【発明の概要】
【発明が解決しようとする課題】
【０００６】
本発明はこうした状況を認識してなされたものであり、その目的は、使用しないときには邪魔にならず、使いやすい吊り下げ用のフックを有するチェーンソーを提供することにある。
【課題を解決するための手段】
【０００７】
本発明のある態様は、チェーンソーであり、本体ハウジングの前方に延出するガイドバーと、前記ガイドバーに沿って回転可能なソーチェンと、前記ソーチェーンを駆動する駆動軸と、前記駆動軸に回転力を与える電動モータと、前記本体ハウジングに着脱自在に装着されるバッテリと、前記バッテリの一部を覆うバッテリガードと、前記バッテリガードに設けられたフックとを備えることを特徴とする。
【０００８】
前記態様において、前記バッテリガードにフック収納部が形成され、前記フック収納部に前記フックが後方に引き出し自在に設けられているとよい。
【０００９】
前記態様において、前記フック収納部の前方側には柱状部が設けられており、前記柱状部に前記フックの折返し部が係合しているとよい。
【００１０】
前記態様において、前記フックは、略円形の環状部と、前記環状部の両端から前方にそれぞれ延びる直線部とを有し、前記直線部の先端部に前記折返し部が形成されているとよい。
【００１１】
前記態様において、前記バッテリガードは、前記フック収納部の前側に前記フックの直線部を貫通させる引出孔を有し、前記引出孔を前記直線部が移動自在に貫通しているとよい。
【００１２】
前記態様において、前記フックの直線部は、環状部から離れるに従って相互に広がる形状であるとよい。
【００１３】
前記態様において、前記フック収納部は、前記バッテリガードの底面側の後端に開口した凹溝であるとよい。
【００１４】
前記態様において  前記バッテリは、前記本体ハウジングの上方からスライドして取り付けられる構成であるとよい。
【００１５】
なお、以上の構成要素の任意の組合せ、本発明の表現を方法やシステムなどの間で変換したものもまた、本発明の態様として有効である。
【発明の効果】
【００１６】
本発明に係るチェーンソーによれば、バッテリの底面を支持するバッテリガードの底面側にフックを設けているので、フックを使用しないときには邪魔にならず、ロープ等を使用したチェーンソーの吊り上げ、吊り下げに効果的に利用できる。
【図面の簡単な説明】
【００１７】
【図１】本発明に係るチェーンソーの実施の形態であって、（Ａ）はフック収納状態の一部を断面とした左側面図、（Ｂ）は同じく要部斜視図。
【図２】実施の形態であって、（Ａ）はフック引出状態の一部を断面とした左側面図、（Ｂ）は同じく要部斜視図。
【図３】実施の形態であって、（Ａ）はハンドガードに外力が加わらないときのスイッチ状態を示す一部を断面とした左側面図、（Ｂ）はハンドガードが外力により揺動したときのスイッチ状態を示す一部を断面とした左側面図。
【図４】実施の形態の斜視図。
【図５】実施の形態の回路図。
【発明を実施するための形態】
【００１８】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１９】
図１乃至図５において、本体ハウジング１は右側面に突出したモータケース２を図４のように一体的に有し、モータケース２内に図５に示す電動モータＭが収納（内蔵）されている。本体ハウジング１の左側面には、モータＭで回転駆動される駆動軸１０及びこれに固着されたスプロケット１１が設けられる（図３（Ａ）において点線で示す）。チェーンソーの使用時においては、本体ハウジング１のボルトにガイドバー１２を本体ハウジング１の前方に延出するように取り付け、スプロケット１１とガイドバー１２の周囲にソーチェーン１３を巻き掛けし（図３（Ａ）において仮想線で示す）、スプロケット１１によってソーチェーン１３をガイドバー１２に沿わせて走行駆動する。これらの構成は周知であるため、細部の説明は省略する。
【００２０】
図４のように、本体ハウジング１の上部にはトップハンドル２０が一体に形成され、また本体ハウジング１の右側面から突出するようにフロントハンドル２１が配設されている。通常、作業者は右手でトップハンドル２０を把持し、左手でフロントハンドル２１の上部（略水平な部分）を把持する。また、作業者の手を保護するハンドガード３０がフロントハンドル２１の前側近傍に配置され、ハンドガード３０から一体に後方に延びるアーム部３１が揺動軸（回転中心Ｃ）で揺動自在に本体ハウジング１に支持されている。本体ハウジング１の後部にはバッテリガード５が一体に延長して設けられており、バッテリガード５上の本体ハウジング１後端面にバッテリ４０が着脱自在に装着されている。バッテリ４０は、本体ハウジング１に形成されたレールに沿って斜め上方からスライドして差し込まれることで装着され、端子間の接続が行われる。バッテリガード５はバッテリ４０のスライド方向と略直交する方向にバッテリ４０の取り付け方向の前方側に位置するよう延設されている。バッテリガード５のバッテリ４０側の表面には弾性部材（例示としてゴム）が貼設され、バッテリ４０装着時にバッテリガード５と弾性部材が挟まれることで、バッテリ４０を本体ハウジング１に安定して保持することが可能となっている。    
【００２１】
図１（Ａ）,（Ｂ）及び図２（Ａ）,（Ｂ）に示すように、本体ハウジング１の前側下部が脚部１ｂとなるとともに、バッテリガード５の下部が一対の脚部８０となっている。脚部８０はバッテリガード５の底面側において、左右両側から下方に突出しており、左右の脚部８０間に、フック収納部８１が形成されている。このフック収納部８１は、バッテリガード５の底面側の後端に開口した凹溝である。そして、フック収納部８１内にフック９０が後方に引き出し自在に設けられている。
【００２２】
具体的には、フック９０は、略円形の環状部９１と、環状部９１の両端から前方にそれぞれ延びる直線部９２と、直線部９２の先端部に形成された折返し部９３とを有する。一方、バッテリガード５は、フック収納部８１の前側にフック９０の直線部９２を貫通させるスリット状引出孔８２を有する。また、フック収納部８１よりも前方のバッテリガード５内には柱状部（ボス）８３が形成されている。バッテリガード５は本体ハウジング１と一体に成形され、樹脂等の左右２分割した成形体を組み合わせた構造であり、フック９０はバッテリガード５の左右の成形体を離間した状態で取り付けられて組み立てられることで内部に配置される。フック９０を使用する際には、指を環状部９１に引っ掛けるとともに、直線部９２をスリット状引出孔８２から引き出すことで、環状部９１がフック収納部８１から突出した位置まで移動するとともに、バッテリガード５内の柱状部８３に折返し部９３を引っ掛けられる位置で引き出し量が規定される。図２（Ｂ）のようにフック９０の直線部９２は、環状部９１から離れるに従って相互に広がる形状であるため、図１（Ｂ）のフック収納状態では、バッテリガード５の内部で一対の直線部９２の間隔が広がり、外力が加わらない限り、環状部９１のみがフック収納部８１内に露出した収納状態を保持できる。また、図１（Ｂ）のフック収納状態から環状部９１を後方に引き出して図２（Ｂ）のフック引出状態（フック使用状態）としたときは、一対の直線部９２が開く方向に付勢されてスリット状引出孔８２の左右の縁に接した状態となり、フック引出状態を維持できる。引出状態のフック９０はロープ等を通して、チェーンソーの吊り上げ、吊り下げ等に利用できる。
【００２３】
トップハンドル２０の下面側にはトリガ２５が取り付けられ、トリガ２５が引かれたときにオンとなるスイッチＳＷ１が本体ハウジング１内に固定配置されている。また、ハンドガード３０が外力により揺動したときにモータＭへの通電を遮断するためのスイッチＳＷ２が本体ハウジング１の内に固定配置されている。図５の回路図に示すように、バッテリ４０の＋端子、−端子及びＬＤ端子（バッテリの状態を示す信号）に接続されるターミナル４５の＋端子と−端子間に、スイッチＳＷ１、スイッチＳＷ２及びモータＭが直列に接続されている。
【００２４】
図３（Ａ）,（Ｂ）のように、ハンドガード３０と一体となって回転する揺動軸には小アーム３１が固着され、また小アーム３１とスイッチＳＷ２との間に一端部が本体ハウジング１に枢着された（回転自在に取り付けられた）揺動片３２が配置されている。小アーム３１及び揺動片３２は、揺動軸と連動する可動部材として機能するものである。揺動軸の周囲にはバネ３３が設けられており、外力が加わらない場合（ブレーキ非作動状態）を示す図３（Ａ）及び図４のハンドガード３０は上方位置となっている。このときスイッチＳＷ２の操作部３５は、図３（Ａ）のように小アーム３１で揺動片３２が押されて右回転方向に揺動するため、揺動片３２で押圧された状態である。つまり、スイッチＳＷ２はオン状態を維持し、モータＭに通電可能な状態としている。
【００２５】
一方、チェーンソーの使用時にキックバックが発生して作業者の左手の甲でハンドガード３０が押し下げられる事態が発生すると、図３（Ｂ）（ブレーキ作動状態）のようにハンドガード３０は上端が下がる向きに揺動し、小アーム３１で揺動片３２は押されなくなり、スイッチＳＷ２の操作部３５は突出状態（非操作状態）となってスイッチＳＷ２はオフとなる。このとき、キックバックが強力であってハンドガード３０の動きが過大となると、ハンドガード３０と連動する揺動軸周辺の機構に損傷乃至悪影響が発生するおそれがあるため、図４のように本体ハウジング１の右側面の段部１ａ上にストッパ７を設けている。ストッパ７は、揺動軸（回転中心Ｃ）から離間した位置にあり、本体ハウジング１とは別部材を段部１ａ上に固定してもよいし、本体ハウジング１の一部で一体に予め形成しておいてもよい。ストッパ７にハンドガード３０のアーム部３１が当接することで、ハンドガード３０の揺動範囲は規制される。
【００２６】
図４に示すように、本体ハウジング１の右側面にはライト操作スイッチＳＷ３、バッテリ残量確認スイッチＳＷ４及びバッテリ残量表示部５１を備えた操作・表示パネル５０が配設されている。操作・表示パネル５０は作業者が目視しやすく、かつ作業中に誤ってスイッチがオン、オフされてしまわない配置が好ましい。具体的には、略コ字状のフロントハンドル２１を設けた本体ハウジング１の右側面で、かつモータケース２の近傍でかつフロントハンドル２１の下側位置に操作・表示パネル５０が配置されている。操作・表示パネル５０におけるライト操作スイッチＳＷ３及びバッテリ残量表示スイッチＳＷ４はタクトスイッチであり、図５のコントローラ６０に接続されている。ライト操作スイッチＳＷ３がオンのとき本体ハウジング１の前面に配置された照明手段としてのＬＥＤライト５５が点灯するようになっている。バッテリ残量表示スイッチＳＷ４がオンのとき、バッテリ４０の状態に応じてバッテリ残量表示部５１のバッテリ残量表示ランプ５６が点灯或いは消灯する。なお、図５のバッテリ４０のＬＤ端子に接続するターミナル４５のＬＤ端子は、バッテリ４０の状態（例えば過放電）を表す信号をコントローラ６０に出力するものである。なお、コントローラ６０等を搭載した回路基板は本体ハウジング１後部のバッテリ装着面の近傍に配置される。
【００２７】
本体ハウジング１には、ソーチェーン１３の潤滑オイルが収容されたオイルタンクが内蔵され、潤滑オイル補充用のオイルタンクキャップ７１が本体ハウジング１の右側面に設けられている。また、オイルタンク内の油残量を表示するオイルタンク残量表示部７０が本体ハウジング１の右側面の前部（ＬＥＤライト５５の近傍位置）に配置され、目視可能となっている。ライト操作スイッチＳＷ３をオンにすると本体ハウジング１の前面に配置されたＬＥＤライト５５が点灯するが、この光線が本体ハウジング１の半透明部分を経由してオイルタンク残量表示部７０に入射して、これを内側から照らす配置となっている。
【００２８】
本実施の形態の全体的な動作説明を行う。図３（Ａ）のようにスプロケット１１とガイドバー１２の周囲にソーチェーン１３を巻き掛けした状態で、トリガ２５を引けば、スイッチＳＷ１がオンとなり、通常オン状態のスイッチＳＷ２を通して電動モータＭにバッテリ４０から電力が供給され、所定の切断動作が行われる。
【００２９】
チェーンソーの使用時にキックバックが発生して作業者の左手の甲でハンドガード３０が押し下げられる事態が発生すると、図３（Ｂ）のようにハンドガード３０は上端が下がる向きに揺動し、小アーム３１で揺動片３２は押されなくなり、スイッチＳＷ２の操作部３５は突出状態（非操作状態）となってスイッチＳＷ２はオフとなる。この結果、トリガ２５の状態にかかわらずモータＭへの通電は遮断され、モータＭは停止する。その際、ハンドガード３０の揺動に連動して、モータＭの出力軸やスプロケット１１の駆動軸に対して従来の機械的なブレーキを適用することが可能である。
【００３０】
バッテリガード５の底面側のフック９０に関して、不使用時は図１（Ａ）,（Ｂ）のようにバッテリガード５の一対の脚部８０間のフック収納部８１内にフック９０の環状部９１が位置した状態であり、切断動作等のじゃまにならない配置となっている。また、使用時は環状部９１を後方に引き出すことで図２（Ａ）,（Ｂ）のようにバッテリガード５の一対の脚部８０間のフック収納部８１から環状部９１の一部が後方に突出した状態となり（図２（Ａ）参照）、ロープ等を環状部９１に通したりする作業が容易となる。
【００３１】
操作・表示パネル５０の操作に関しては、ライト操作スイッチＳＷ３をオンにすれば、コントローラ６０を介しＬＥＤライト５５が点灯され、チェーンソーの前方を照らすとともに、ＬＥＤライト５５から側方に出た光でオイルタンク残量表示部７０を内側から照射することができ、作業者はオイル残量を容易に目視で認識可能である。
【００３２】
操作・表示パネル５０のバッテリ残量確認スイッチＳＷ４をオンにすれば、バッテリ４０の状態に応じてバッテリ残量表示部５１のバッテリ残量表示ランプ５６がコントローラ６０を介して点灯或いは消灯される。これにより、作業者はバッテリ残量を容易に目視で認識可能である。
【００３３】
本実施の形態によれば、下記の効果を奏することができる。
【００３４】
(1) バッテリガード５の底面側に、後端に開口したフック収納部８１が形成され、フック収納部８１にフック９０が後方に引き出し自在に設けられているから、フック収納状態ではフック９０がフック収納部８１内に収まり、じゃまにならない配置である。また、バッテリ４０の存在が、フック９０を用いた吊り上げ、吊り下げ動作のじゃまにならず、ソーチェーンをほぼ垂直にした状態で吊り上げ、吊り下げが可能である。また、フック９０はフック収納部８１に収納された状態においても環状部９１の全体が外部から視認・操作可能な位置に面していることで、引き出し操作を容易に行うことができる。
【００３５】
(2) フック９０は、略円形の環状部９１と、環状部９１の両端から前方にそれぞれ延びる直線部９２と、直線部９２の先端部に形成された折返し部９３とからなり、折返し部９３がバッテリガード５内の柱状部８３に引っ掛けられている構成であり、フック９０の脱落を防止できるとともに、フック９０を前後方向に移動自在に保持できる。
【００３６】
(3) フック９０の直線部９２は、環状部９１から離れるに従って相互に広がる形状であるため、図１（Ｂ）のフック収納状態では、バッテリガード５の内部で一対の直線部９２の間隔が広がり、外力が加わらない限り、環状部９１のみがフック収納部８１内に露出した収納状態を保持できる。一方、図１（Ｂ）のフック収納状態から環状部９１を後方に引き出して図２（Ｂ）のフック引出状態（フック使用状態）としたときは、一対の直線部９２が開く方向に付勢されてスリット状引出孔８２の左右の縁に接した状態となり、摩擦でフック引出状態を維持できる。
【００３７】
以上、実施の形態を例に本発明を説明したが、実施の形態の各構成要素や各処理プロセスには請求項に記載の範囲で種々の変形が可能であることは当業者に理解されるところである。
【符号の説明】
【００３８】
１  本体ハウジング
１ｂ，８０  脚部
２  モータケース
５  バッテリガード
７  ストッパ
１０  駆動軸
１１  スプロケット
１２  ガイドバー
１３  ソーチェーン
２０  トップハンドル
２１  フロントハンドル
２５  トリガ
３０  ハンドガード
３１  小アーム
３２  揺動片
４０  バッテリ
５０  操作パネル
５１  バッテリ残量表示部
５５  ＬＥＤライト
７０  オイルタンク残量表示部
８１  フック収納部
８２  スリット状引出穴
８３  柱状部
９０  フック
９１  環状部
９２  直線部
９３  折返し部
ＳＷ１〜ＳＷ４  スイッチ
【図１】
2014037080.tif 000003
【図２】
2014037080.tif 000004
【図３】
2014037080.tif 000005
【図４】
2014037080.tif 000006
【図５】
2014037080.tif 000007